(57)【要約】【課題】本発明は、ペットの特定の行為を検出して、飼い主の操作を必要とせずにペット用の映像および音声を再生する画像表示装置の提供を目的とする。【解決手段】本発明に係る画像表示装置は、外部からの入力を検出する検出部２０と、画像表示部７と、音声出力部８と、記憶部５もしくは記録媒体挿入部９と、記憶部５に記憶されている映像、もしくは記録媒体挿入部９に挿入されている記録媒体に記録されている映像を再生して画像表示部７および音声出力部８に出力する制御部４と、を備え、検出部２０の検出結果に応じて、制御部４は記憶部５に記憶されている映像もしくは記録媒体に記録されている映像の再生を行うことを特徴とする。【選択図】図１
2015115731.tif 000002
【特許請求の範囲】
【請求項１】
外部からの入力を検出する検出部と、
画像表示部と、
音声出力部と、
記憶部もしくは記録媒体挿入部と、
前記記憶部に記憶されている映像、もしくは記録媒体挿入部に挿入されている記録媒体に記録されている映像を再生して前記画像表示部および前記音声出力部に出力する制御部と、
を備え、
前記検出部の検出結果に応じて、前記制御部は前記記憶部に記憶されている映像もしくは前記記録媒体に記録されている映像の再生を行うことを特徴とする、
画像表示装置。
【請求項２】
前記検出部は、音声入力部と、音声処理部と、を備え、
前記音声入力部に音声信号が入力され、
前記音声処理部が、前記音声信号は特定の音声信号であると判定すると、
前記制御部は前記記憶部に記憶されている映像もしくは前記記録媒体に記録されている映像の再生を行うことを特徴とする、
請求項１に記載の画像表示装置。
【請求項３】
前記検出部はスイッチを備え、
前記スイッチがオンされると、前記制御部は前記記憶部に記憶されている映像もしくは前記記録媒体に記録されている映像の再生を行うことを特徴とする、
請求項１に記載の画像表示装置。
【請求項４】
前記検出部は、音声入力部と、音声処理部と、スイッチと、を備え、
前記音声入力部に音声信号が入力され、前記音声処理部が、前記音声信号は特定の音声信号であると判定するか、もしくは前記スイッチがオンされると、前記制御部は前記記憶部に記憶されている映像もしくは前記記録媒体に記録されている映像の再生を行うことを特徴とする、
請求項１に記載の画像表示装置。
【請求項５】
当該画像表示装置の電源となる電源部をさらに備え、
前記検出部は前記電源部がスタンバイモードにおいて外部からの入力を検出し、
前記検出部の検出結果に応じて、前記制御部は前記電源部をスタンバイモードから通常モードに切り替えて、前記記憶部に記憶されている映像もしくは前記記録媒体に記録されている映像の再生を行うことを特徴とする、
請求項１に記載の画像表示装置。
【請求項６】
放送番組を受信するチューナー部をさらに備え、
前記検出部の検出結果に応じて、前記制御部は前記放送番組の再生を行うことを特徴とする、
請求項１に記載の画像表示装置。
【発明の詳細な説明】
【技術分野】
【０００１】
本発明は画像表示装置に関し、特にペット用の映像を再生する画像表示装置に関する。
【背景技術】
【０００２】
自宅にペットを残して外出する飼い主が増えている。そのようなペットは長い時間を孤独に家で過ごすストレスから、病気になりやすくなる。また、このストレスから部屋にいたずらをしたり、吠えて近所に迷惑をかけたりする。
【０００３】
近年、アメリカではこうした現状を改善するために、犬向けのテレビ番組が開始された。飼い主は、犬用のテレビ番組を選局し、テレビの電源を入れたまま家を出る。なお、テレビの電源がオンとなる時間を設定するタイマーを使用することもできる。これにより、家に残されたペットはテレビ番組を見ることができ、孤独やストレスを感じることなく、楽しんで留守番をすることができる。
【０００４】
ペットを自宅で留守番させている間、ペットに対して適切な処置を行うことができるシステムが知られている。例えば、ペットが留守番中、ペットの鳴き声を感情に変換して飼い主に伝達し、飼い主はペットの感情から必要な処置(飼い主の音声をペットに伝達したり、給餌したりする)を行うことのできるペット監視システムが提案されている(特許文献１参照)。
【０００５】
また、ペットが視聴できる位置に表示装置を配置して、飼い主が遠隔操作により表示装置に映像を映し出す操作を行う装置が提案されている（特許文献２参照）。表示装置に映し出された映像をペットが視聴することにより、ペットの落ち着き、吠えるのをやめるという装置が考案されている。また、飼い主が外出する際はタイマーをセットすることによって所定時間後に音声・映像を再生することも可能である。
【０００６】
さらに、数日間ペットに留守番をさせるときに、セットした時刻にペットが寂しがらないようにテープレコードを聞かせたり、映像を見せたりして、それと同時か数秒後に自動的に給餌することができる装置も考案されている(特許文献３参照)。
【先行技術文献】
【特許文献】
【０００７】
【特許文献１】特開２００５−３１号公報
【特許文献２】実開平１−９９１３３号公報
【特許文献３】登録実用新案第３０１９０９３号公報
【発明の概要】
【発明が解決しようとする課題】
【０００８】
以上で説明した、飼い主が留守時のペット対策は以下に示すような課題を有していた。特許文献１に開示されている方式では、ペットが飼い主に対して呼びかけていたとしても、外出先の飼い主が取り込み中であり、呼びかけに対処することができない場合がある。また、ペットの感情が治まるまで声を掛け続けることは、外出先では困難であると考えられる。
【０００９】
また、特許文献２に開示されている方式では、特許文献１と同様に、動物が鳴き出した場合、飼い主が直接処置を行う必要がある。また、飼い主がタイマーをセットして家を出て、所定時間に音声、映像を再生することができても、動物が音声、映像の視聴を必要としていない場合もある。
【００１０】
また、特許文献３の装置は予め設定した時刻に動作を行う。よって、ペットの必要としている時間帯に動作しない、またはペットが必要としていない時間帯に動作するなどの問題がある。
【００１１】
本発明は、以上のような課題を解決するためになされたものであり、ペットの特定の行為を検出して、飼い主の操作を必要とせずにペット用の映像および音声を再生する画像表示装置の提供を目的とする。
【課題を解決するための手段】
【００１２】
本発明に係る画像表示装置は、外部からの入力を検出する検出部と、画像表示部と、音声出力部と、記憶部もしくは記録媒体挿入部と、記憶部に記憶されている映像、もしくは記録媒体挿入部に挿入されている記録媒体に記録されている映像を再生して画像表示部および音声出力部に出力する制御部と、を備え、検出部の検出結果に応じて、制御部は記憶部に記憶されている映像もしくは記録媒体に記録されている映像の再生を行うことを特徴とする。
【発明の効果】
【００１３】
本発明に係る画像表示装置によれば、ペットの行為を外部からの入力として検出部が検出して、検出部の検出結果に応じて、制御部がペット用の映像の再生を行う。よって、検出部の検出結果に応じて、自動的にペット用の映像が再生されるため、使用者が操作を行う必要がない。ペットにとっては、必要なときに映像を視聴することができるため、ペットの快適性が向上する。また、使用者は映像再生などの操作を行う必要がないため、利便性が向上する。
【図面の簡単な説明】
【００１４】
【図１】実施の形態１に係る画像表示装置の機能ブロック図である。
【図２】実施の形態１に係る画像表示装置の音声処理部の機能ブロック図である。
【図３】実施の形態１に係る画像表示装置のスタンバイモードにおける動作を示すフローチャートである。
【図４】実施の形態２に係る画像表示装置の機能ブロック図である。
【図５】実施の形態２に係る画像表示装置のスタンバイモードにおける動作を示すフローチャートである。
【発明を実施するための形態】
【００１５】
＜実施の形態１＞
＜構成＞
図１は、本実施の形態における画像表示装置の機能ブロック図である。画像表示装置は、外部からの入力を検出する検出部２０と、画像表示装置全体の動作を制御する制御部４とを備える。ここで、検出部２０は、外部の音声が入力される音声入力部２と、音声入力部２に入力された外部の音声を処理する音声処理部３とを備える。
【００１６】
画像表示装置はさらに、映像を記憶する記憶部５と、記録媒体を挿入可能な記録媒体挿入部９とを備える。
【００１７】
画像表示装置はさらに、画像の表示を行う画像表示部７と、音声の出力を行う音声出力部８とを備える。また、上述した各部へ電源部６から電力が供給される。
【００１８】
ここで、音声入力部２は例えばマイクロフォンである。制御部４はＣＰＵにより実現される。記憶部５は例えばハードディスクドライブである。また、記録媒体挿入部９に挿入される記録媒体とは、例えばＤＶＤ、ブルーレイディスクなどである。また、画像表示部７は例えば液晶ディスプレイである。
【００１９】
図２は、本実施の形態における音声処理部３の機能ブロック図である。図２に示すように、音声処理部３は、音声入力部２から入力されたアナログの音声データをデジタルデータ変換する音声データ変換部３１と、デジタルの音声データを基に、音声データがペットの発話音声（即ちペットの鳴き声）であるかを識別する音声識別部３２と、音声識別部３２の識別結果を制御部４に出力するかどうか判断する判定部３３を備える。音声データ変換部３１はアナログ−デジタル（ＡＤ）コンバータである。また、音声識別部３２および判定部３３は例えば共通のＣＰＵにより実現される。
【００２０】
なお、本実施の形態において、画像表示装置は記憶部５と記録媒体挿入部９のどちらか一方を備えればよく、必ずしも両方を備える必要はない。
【００２１】
＜動作＞
本実施の形態における画像表示装置の電源部６は、スタンバイモード、もしくは通常モードで動作する。ここで、スタンバイモードとは、図１の一部のブロック(即ち、検出部２０全体および制御部４の一部)に限定して電源部６から電力が供給される動作モードである。一方、通常モードとは、図１の全てのブロックに電源部６から電力が供給される動作モードのことである。
【００２２】
画像表示装置の電源部６が通常モードで動作しているときは、使用者は例えば、記録媒体挿入部９に挿入されたＤＶＤ等を再生して視聴している。つまり、通常モードにおいては、使用者は宅内にいることが想定される。一方、画像表示装置の電源部６がスタンバイモードで動作しているときは、使用者（即ちペットの飼い主）が留守である可能性が高い。よって、本実施の形態では、画像表示装置の電源部６がスタンバイモードで動作している場合を想定して、画像表示装置の動作を説明する。なお、本実施の形態において、ペットとして例えば犬を想定するが、これに限定されるものではない。
【００２３】
図３は、本実施の形態における画像表示装置のスタンバイモードにおける動作を示すフローチャートである。画像表示装置がスタンバイモードで動作しているとき、音声入力部２には、常に外部の音声が入力されている（ステップＳ１０１）。
【００２４】
次に、音声入力部２に入力された音声がペットの鳴き声であるか否かの判断を行う（ステップＳ１０２）。音声入力部２に入力された外部の音声は、音声処理部３の音声データ変換部３１に入力され、アナログデータからデジタルデータへ変換される。音声識別部３２は、デジタルデータの特性から音声の種類を識別し、識別した結果を判定部３３に出力する。判定部３３は識別結果がペットの鳴き声であった場合、音声信号が検出されたことを示す信号を制御部４に出力してステップＳ１０３に進む。一方、識別結果がペットの鳴き声でなかった場合は、ステップＳ１０１に戻って判定動作を繰り返す。
【００２５】
ペットの鳴き声が検出されたことを示す信号が入力されると、制御部４は、電源部６をスタンバイモードから通常モードに切り替える（ステップＳ１０３）。電源部６は通常モードで動作を始めると、スタンバイモードの状態においては電力が供給されていなかったブロック(図１における制御部４の全体、記憶部５、記録媒体挿入部９、画像表示部７および音声出力部８)にも電力を供給する。
【００２６】
電源部６が通常モードで動作を開始すると、制御部４は記憶部５に記憶されているペット用の専用コンテンツのデータを抽出する。抽出されたデータのうち、映像信号は画像表示部７に出力され、音声信号は音声出力部８に出力される（ステップＳ１０４）。
【００２７】
画像表示部７は映像信号が入力されると専用コンテンツの映像の表示を開始する。また、音声出力部８は音声信号が入力されると専用コンテンツの音声の出力を開始する（Ｓ１０５）。
【００２８】
なお、ステップＳ１０４において、制御部４は記録媒体挿入部９に挿入されている記録媒体に記録されているペット用の専用コンテンツのデータを抽出してもよい。
【００２９】
画像表示装置が以上の動作を行うことにより、飼い主が操作を行わなくても、ペットの鳴き声に応じて、ペット用の映像を自動的に再生することが可能となる。
【００３０】
＜効果＞
本実施の形態における画像表示装置は、外部からの入力を検出する検出部２０と、画像表示部７と、音声出力部８と、記憶部５もしくは記録媒体挿入部９と、記憶部５に記憶されている映像、もしくは記録媒体挿入部９に挿入されている記録媒体に記録されている映像を再生して画像表示部７および音声出力部８に出力する制御部４と、を備え、検出部２０の検出結果に応じて、制御部４は記憶部５に記憶されている映像もしくは記録媒体に記録されている映像の再生を行うことを特徴とする。
【００３１】
従って、ペットの行為を外部からの入力として検出部２０が検出して、検出部２０の検出結果に応じて、制御部４がペット用の映像の再生を行う。よって、検出部２０の検出結果に応じて、自動的にペット用の映像が再生されるため、使用者が操作を行う必要がない。ペットにとっては、必要なときに映像を視聴することができるため、ペットの快適性が向上する。また、使用者は映像再生などの操作を行う必要がないため、利便性が向上する。
【００３２】
また、本実施の形態における画像表示装置において、検出部２０は音声入力部２と音声処理部３とを備え、音声入力部２に音声信号が入力され、音声処理部３が、音声信号は特定の音声信号であると判定すると、制御部４は記憶部５に記憶されている映像もしくは記録媒体に記録されている映像の再生を行うことを特徴とする。
【００３３】
従って、ペットの鳴き声を検出部２０が検出し、その検出結果に応じて制御部４がペット用の映像を再生することにより、ペットの鳴き声に応じて映像を再生することができる。
【００３４】
また、本実施の形態における画像表示装置は、画像表示装置の電源となる電源部６をさらに備え、検出部２０は電源部６がスタンバイモードにおいて外部からの入力を検出し、検出部２０の検出結果に応じて、制御部４は電源部６をスタンバイモードから通常モードに切り替えて、記憶部５に記憶されている映像もしくは記録媒体に記録されている映像の再生を行うことを特徴とする。
【００３５】
従って、ペット用の映像を再生する必要が生じるのは、特に使用者が留守の場合、即ち画像表示装置がスタンバイモードで動作している場合である。よって、スタンバイモードにおいて検出部２０が外部からの入力を検出して、映像を再生可能とすることで、使用者が留守であってもペット用の映像を再生することが可能となる。つまり、ペットに対して効果的に映像を提供することができる。
【００３６】
＜実施の形態２＞
＜構成＞
図４は、本実施の形態における画像表示装置の機能ブロック図である。本実施の形態における検出部２０は、図１における音声入力部２および音声処理部３の代わりに、スイッチ１０を備える。その他の構成は実施の形態１（図１）と同じため、説明を省略する。
【００３７】
スイッチ１０は例えば、画像表示装置の筐体の外部のペットが踏むことのできる位置に配置される。スイッチ１０は、ペットがかける圧力などの物理的な入力を電気信号に変換し、電気信号を制御部４に出力する。
【００３８】
＜動作＞
本実施の形態では、実施の形態１と同様、画像表示装置がスタンバイモードで動作している場合を想定して動作を説明する。
【００３９】
図５は、本実施の形態における画像表示装置のスタンバイモードにおける動作を示すフローチャートである。まず、ペットがスイッチ１０を踏むことにより、スイッチ１０が押される。即ちスイッチがオンされる（ステップＳ２０１）。スイッチ１０が押されると電気信号が制御部４に入力され、制御部４はこの電気信号に基づいてスイッチ１０が押されたことを検知する。
【００４０】
次に、制御部４は、電源部６をスタンバイモードから通常モードに切り替える（ステップＳ２０２）。以降の図５におけるステップＳ２０３，Ｓ２０４は、図３におけるステップＳ１０４，１０５とそれぞれ同様のため、説明を省略する。
【００４１】
＜効果＞
本実施の形態における画像表示装置において、検出部２０はスイッチ１０を備え、スイッチ１０がオンされると、制御部４は記憶部５に記憶されている映像もしくは記録媒体に記録されている映像の再生を行うことを特徴とする。
【００４２】
従って、ペットが鳴き声を出さなかったとしても、ペットがスイッチ１０を踏む簡単な操作を行うことにより、飼い主の操作を必要とせずペット用の映像の再生が可能となる。
【００４３】
＜実施の形態３＞
本実施の形態における画像表示装置は、実施の形態１（図１）における検出部２０に、実施の形態２（図４）で述べた様にスイッチ１０をさらに備える構成とする。その他の構成は実施の形態１（図１）と同じため、説明を省略する。なお、本実施の形態における画像表示装置の各部の符号は図１および図４に準じる。
【００４４】
本実施の形態における画像表示装置は、実施の形態１で説明したようにペットの鳴き声を検出するとペット用の映像の再生を行う。本実施の形態における画像表示装置はさらに、実施の形態２で説明したようにスイッチ１０がオンされたことを検出しても、ペット用の映像の再生を行う。
【００４５】
＜効果＞
本実施の形態における画像表示装置において、検出部２０は、音声入力部２と、音声処理部３と、スイッチ１０と、を備え、音声入力部２に音声信号が入力され、音声処理部３が、音声信号は特定の音声信号であると判定するか、もしくはスイッチ１０がオンされると、制御部４は記憶部５に記憶されている映像もしくは記録媒体に記録されている映像の再生を行うことを特徴とする。
【００４６】
従って、本実施の形態における画像表示装置は、ペットの鳴き声を検出するか、もしくはペットがスイッチ１０を押したときにペット用の映像の再生を行う。よって、ペットが鳴き声を発する行為と、ペットがスイッチ１０を押す行為の両方の行為を検出して映像を再生するため、実施の形態１および実施の形態２と比較して、より効果的にペットに映像を提供することが可能となる。
【００４７】
＜実施の形態４＞
本実施の形態における画像表示装置は、実施の形態１（図１）の画像表示装置に対して、さらに、放送番組を受信するチューナー部を備える。その他の構成は実施の形態１（図１）と同じため、説明を省略する。なお、本実施の形態における画像表示装置の各部の符号は図１に準じる。
【００４８】
本実施の形態において、検出部２０の検出結果に応じて、制御部４はチューナー部が受信した放送番組の再生を行ってもよい。つまり、検出部２０がペットの鳴き声を検出すると、制御部４は、予め設定してあるチャネル（例えばペット用の番組を放送しているチャネル）を選択して放送番組の再生を行うか、記憶部５に記憶されている映像の再生を行うか、記録媒体挿入部９に挿入されている記録媒体に記録されている映像の再生の再生を行う。これらの動作のうち、いずれの動作を行うかは、予め使用者が設定可能である。
【００４９】
なお、本実施の形態において、実施の形態２（図４）の様に、検出部２０がスイッチ１０を備える構成としてもよい。この場合、ペットによりスイッチ１０がオンされることにより、上述したいずれかの動作を行い、ペット用の映像を再生する。
【００５０】
＜効果＞
本実施の形態における画像表示装置は、放送番組を受信するチューナー部をさらに備え、検出部２０の検出結果に応じて、制御部４は放送番組の再生を行うことを特徴とする。
【００５１】
従って、本実施の形態における画像表示装置はチューナー部をさらに備えるため、記憶部５に記憶されている映像の再生、および記録媒体挿入部９に挿入されている記録媒体に記録されている映像の再生に加えて、チューナー部が受信した放送番組（例えばペット用の放送番組）を再生することができる。よって、再生できる映像の選択枝が増えるため、利便性が向上する。
【００５２】
なお、本発明は、その発明の範囲内において、各実施の形態を自由に組み合わせたり、各実施の形態を適宜、変形、省略することが可能である。
【符号の説明】
【００５３】
２  音声入力部、３  音声処理部、４  制御部、５  記憶部、６  電源部、７  画像表示部、８  音声出力部、９  記録媒体挿入部、１０  スイッチ、２０  検出部、３１  音声データ変換部、３２  音声識別部、３３  判定部。
【図１】
2015115731.tif 000003
【図２】
2015115731.tif 000004
【図３】
2015115731.tif 000005
【図４】
2015115731.tif 000006
【図５】
2015115731.tif 000007